(57)【要約】【目的】  ダイレクトプレーンとクロスプレーンとで均一な光子対検出感度が得られることを課題とする。【構成】  複数の検出器５２を被検体体軸ＣＬの回りにリング状に周設した厚さｗの検出器リングを、該体軸方向に複数積層してなるリング状の検出器モジュール５１と、検出器モジュール５１の内側に介在し、被検体体軸と略垂直な方向に飛来するγ線をコリメートするための所定のコリメート長を有する平板を該体軸の方向にピッチｗで螺旋状に周設してなるセプタ５３と、検出器５２に入射したγ線の入射位置を特定可能な検出回路４２と、被検体を挟み相対向する位置に設定した２つの検出領域で略同時に検出された一対の検出信号を抽出する同時判定抽出部３３あって、一方の検出領域における体軸方向の両境界面がセプタの境界面と一致するように設定するもの、とを備える。【選択図】    図３
2006017532.tif 000002
【特許請求の範囲】
【請求項１】
被検体内に取り込まれた放射性医薬品に含まれるポジトロンが消滅する際に発生する１対のγ線を検出して画像化するＰＥＴ装置において、
所定サイズの検出面を有する複数の検出器を被検体体軸の回りにリング状に周設した厚さｗの検出器リングを、該体軸方向に複数積層してなるリング状の検出器モジュールと、
前記検出器モジュールの内側に介在し、被検体体軸と略垂直な方向に飛来するγ線をコリメートするための所定のコリメート長を有する平板を該体軸の方向にピッチｗで螺旋状に周設してなるセプタと、
前記検出器の検出信号に基づきその検出面に入射したγ線の入射位置を特定可能な検出回路と、
被検体を挟み相対向する位置に設定した２つの検出領域で略同時に検出された一対の検出信号を抽出する同時判定抽出部あって、前記一方の検出領域における体軸方向の両境界面がセプタの境界面と一致するように設定するもの、とを備えることを特徴とするＰＥＴ装置。
【請求項２】
同時判定抽出部は、前記一方の検出領域に対向する他方の検出領域で検出された信号のうち、該一方の検出領域で検出された信号と略同時に検出された信号のみを抽出することを特徴とする請求項１記載のＰＥＴ装置。
【請求項３】
検出器モジュールの内側にセプタを挿抜自在に設けたことを特徴とする請求項１記載のＰＥＴ装置。
【請求項４】
被検体内に取り込まれた放射性医薬品に含まれるポジトロンが消滅する際に発生する１対のγ線を検出して画像化するＰＥＴ装置において、
所定サイズの検出面を有する複数の検出器を被検体体軸の回りにピッチｗで螺旋状に周設してなる螺旋状の検出器モジュールと、
前記検出器モジュールの内側に介在し、被検体体軸と略垂直な方向に飛来するγ線をコリメートするための所定のコリメート長を有する平板を該体軸の方向にピッチｗで螺旋状に周設してなるセプタと、
前記検出器の検出信号に基づきその検出面に入射したγ線の入射位置を特定可能な検出回路と、
被検体を挟み相対向する位置に設定した２つの検出領域で略同時に検出された一対の検出信号を抽出する同時判定抽出部あって、前記一方の検出領域における体軸方向の両境界面がセプタの境界面と一致するように設定するもの、とを備えることを特徴とするＰＥＴ装置。
【請求項５】
同時判定抽出部は、前記一方の検出領域に対向する他方の検出領域で検出された信号のうち、該一方の検出領域で検出された信号と略同時に検出された信号のみを抽出することを特徴とする請求項４記載のＰＥＴ装置。
【請求項６】
検出器モジュールの内側にセプタを挿抜自在に設けたことを特徴とする請求項４記載のＰＥＴ装置。
【請求項７】
被検体内に取り込まれた放射性医薬品に含まれるポジトロンが消滅する際に発生する１対のγ線を検出して画像化するＰＥＴ装置の検出器ユニットにおいて、
所定サイズの検出面を有する複数の検出器を被検体体軸の回りにリング状に周設した厚さｗの検出器リングを、該体軸方向に複数積層してなるリング状の検出器モジュールと、
前記検出器モジュールの内側に介在し、被検体体軸と略垂直な方向に飛来するγ線をコリメートするための所定のコリメート長を有する平板を該体軸の方向にピッチｗで螺旋状に周設してなるセプタとを備えることを特徴とするＰＥＴ装置の検出器ユニット。
【請求項８】
被検体内に取り込まれた放射性医薬品に含まれるポジトロンが消滅する際に発生する１対のγ線を検出して画像化するＰＥＴ装置の検出器ユニットにおいて、
所定サイズの検出面を有する複数の検出器を被検体体軸の回りにピッチｗで螺旋状に周設してなる螺旋状の検出器モジュールと、
前記検出器モジュールの内側に介在し、被検体体軸と略垂直な方向に飛来するγ線をコリメートするための所定のコリメート長を有する平板を該体軸の方向にピッチｗで螺旋状
に周設してなるセプタとを備えることを特徴とするＰＥＴ装置の検出器ユニット。
【発明の詳細な説明】
【技術分野】
【０００１】
本発明はＰＥＴ（Positron Emission Tomography）装置及びその検出器ユニットに関し、更に詳しくは、ＰＥＴ装置の２次元スキャン時における検出プレーン感度の均一性を改善したＰＥＴ装置及びその検出器ユニットに関する。
【背景技術】
【０００２】
ＰＥＴ装置は、被検体内に取り込まれた放射性医薬品（ポジトロン核種）に含まれる陽電子（positoron）が消滅するときに発生する１対のγ線（２個のフォトン）を検出して画像化する装置である。複数の検出器リングを有する多断層型ＰＥＴ装置で２次元スキャンを行う場合には、各検出器リングの検出面に斜めから入射するような放射線を除去するための遮蔽盤（セプタ又はスライスコリメータとも呼ばれる）が各検出器リングの境界面上に挿入される。この場合の検出断層面としては、同一検出器リング内での同時計数データを断層データとして収集するダイレクトプレーンと、隣り合うリング間での同時計数データを収集するクロスプレーンとがあり、一般に、検出器リング数がｎ個のＰＥＴ装置では２ｎ−１プレーンの断層データを収集できる。
【０００３】
従来は、同時検出した１対の光子検出器の受光面を互いに結ぶ直線群の内、何れのスライスコリメータとも交わらない場合の同時計数情報を蓄積・生成した信号サイノグラムと、何れかがスライスコリメータと交わる同時計数情報を蓄積・生成した散乱サイノグラムとを用い、散乱サイノグラムにより散乱成分の影響を補正した信号サイノグラムに基づいて画像再構成することにより、良好な光子対検出感度を保ちつつ散乱線の影響を適切に補正するＰＥＴ装置が知られている（特許文献１）。
【特許文献１】特開２００１−３３０６７１（要約，図）
【発明の開示】
【発明が解決しようとする課題】
【０００４】
しかし、従来の多断層型検出器ユニットは、各検出器リングの境界面上に同じくリング状のセプタを配置したものであるため、ダイレクトプレーンとクロスプレーンとでは線源の検出面に対する立体角が異なってしまい、両者間に感度差が生じる不都合があった。以下、この点を図面を参照して具体的に説明する。
【０００５】
図１１，図１２は従来技術を説明する図（１），（２）であり、図１１は従来の典型的な検出器ユニット８０の斜視図を示している。図において、この検出器ユニット８０は、前後２枚のシールドコリメータ８４ａ，８４ｂによって挟まれた検出器モージュール８１を備えており、該検出器モージュール８１は、複数の検出器リングＲ１〜Ｒ５が被検体体軸ＣＬの方向に積層されたものとなっている。各検出器リングＲ１〜Ｒ５は被検体体軸ＣＬの回りの円周上に設けられた多数の検出器８２（但し、本明細書では説明の便宜上検出器ブロック８２と称する）を備えており、各検出器ブロック８２は、ＢＧＯ等からなる複数のシンチレータ８２ａと複数の光電子増倍管（ＰＭＴ）８２ｂとを組み合わせた所謂シンチレーション検出器からなっている。この検出器モジュール８１の内側から飛来した高エネルギー（５１１ｋｅＶ）のγ線をシンチレータ８２ａで可視光に変換し、該可視光をＰＭＴ８２ｂて電気信号に変換する。２Ｄスキャンを行う場合には、検出器モジュール８１の内側に各リング状のセプタ８３が設けられる。
【０００６】
挿入図（ａ）に検出器ユニット８０のａ−ａ断面図を示す。従来のセプタ８３は各検出器リングＲ１〜Ｒ５の境界面上に配置された各リング状の円盤からなっており、各円盤は
、鉛やタングステン等の原子番号の大きい部材からなると共に、各円盤に対して斜めに入射するようなγ線を遮蔽することにより、境界面に対して略平行に入射するγ線のみを検出器ブロック８２の側に通過させるコリメート作用を有する。これにより、各検出器リングＲ１〜Ｒ５は体軸ＣＬと略垂直な方向から飛来するγ線のみを検出（２Ｄスキャン）することになる。なお、３Ｄスキャンを行う場合は、このようなセプタを備えない。
【０００７】
図１２は従来のＰＥＴ装置による検出プレーン−感度特性を説明する図で、図１２（ａ）に検出器ユニット８０の正面図を示す。検出器モジュール８１は被検体体軸ＣＬを中心とする円周上に配列された多数の検出器ブロック８２を備えており、本明細書では説明の便宜上、各検出器ブロック８２の検出信号は検出チャネルＣＨ０〜ＣＨ３５９に対応している。
【０００８】
図１２（ｂ）に検出器ユニット８０のａ−ａ断面図を示す。各検出器リングＲ１〜Ｒ５の境界面上に直径方向の長さｄの円盤が間隔ｗで配列されている。２Ｄスキャンで収集される断層データの検出プレーンには、同一リング内における同時計数イベントを収集するダイレクトプレーンＰ１，Ｐ３，…，Ｐ９と、隣り合うリング間における同時計数イベントを収集するクロスプレーンＰ２，Ｐ４，…，Ｐ８とが存在し、一般に、ｎ個の検出器リングでは（２ｎ−１）プレーン分の断層データを収集できる。
【０００９】
今、例えばダイレクトプレーンＰ３に着目すると、体軸ＣＬ上で平面の立体角α以内の方向に射出された各一対のγ線（Ｌ１ａ，Ｌ１ｂ），（Ｌ２ａ，Ｌ２ｂ）はセプタ８３に遮断されることなく検出器リングＲ２のＣＨ０とＣＨ１８０とで同時検出されるが、αよりも大きな角度で射出された一対のγ線Ｌ３はリングＲ２によっては同時検出されない。また、立体角α以内であっても体軸上の点Ｐ３よりずれた位置から射出された一対のγ線Ｌ４も同じくリングＲ２では同時検出されない。以上のことは他のダイレクトプレーンＰ１，Ｐ５等についても同様である。そこで、検出器リングＲの内径をＤ、検出器リングＲの幅（即ち、セプタの間隔）をｗとすると、ダイレクトプレーンについての平面の立体角αは（１）式、
【００１０】
【数１】
2006017532.tif 000003
【００１１】
で表される。
【００１２】
次に、クロスプレーンＰ８に着目すると、体軸ＣＬ上で平面の立体角β以内の方向に射出された各一対のγ線Ｌ５，Ｌ６はセプタ８３に邪魔されることなく各検出器リングＲ４，Ｒ５のＣＨ０とＣＨ１８０とにより同時検出され、このクロスプレーンについての平面のの立体角βは（２）式、
【００１３】
【数２】
2006017532.tif 000004
【００１４】
で表される。
【００１５】
上記立体角αとβを比較すると、ｗ／Ｄが小さいような実用的な範囲では、αとβとの間に略２倍の差があり、このためダイレクトプレーンとクロスプレーンとでは同時検出される線量が異なり、よって光子対検出感度が大幅に異なる不都合があった。
【００１６】
本発明は上記従来技術の問題点に鑑みなされたもので、その目的とする所は、ダイレクトプレーンとクロスプレーンとで均一な光子対検出感度が得られるＰＥＴ装置を提供することにある。
【課題を解決するための手段】
【００１７】
上記の課題は例えば図２，図３の構成により解決される。即ち、本発明（１）のＰＥＴ装置は、被検体内に取り込まれた放射性医薬品に含まれるポジトロンが消滅する際に発生する１対のγ線を検出して画像化するＰＥＴ装置において、所定サイズの検出面を有する複数の検出器５２を被検体体軸ＣＬの回りにリング状に周設した厚さｗの検出器リングを、該体軸方向に複数積層してなるリング状の検出器モジュール５１と、前記検出器モジュール５１の内側に介在し、被検体体軸と略垂直な方向に飛来するγ線をコリメートするための所定のコリメート長を有する平板を該体軸の方向にピッチｗで螺旋状に周設してなるセプタ５３と、前記検出器５２の検出信号に基づきその検出面に入射したγ線の入射位置を特定可能な検出回路４２と、被検体を挟み相対向する位置に設定した２つの検出領域で略同時に検出された一対の検出信号を抽出する同時判定抽出部３３あって、前記一方の検出領域における体軸方向の両境界面がセプタの境界面と一致するように設定するもの、とを備えるものである。
【００１８】
本発明（１）では、リング状の検出器モジュール５１の内側に螺旋状のセプタ５３を備える構成により、被検体体軸上のどの検出プレーンで見ても、一方の検出領域をその体軸方向の両境界面がセプタの境界面と一致するように設定できる。これを図６に従って具体的に説明する。
【００１９】
例えばダイレクトプレーンＰ３において、一方の検出領域を検出器リングＲ２のチャネルＣＨ０とすると、その体軸方向の両境界面はセプタ５３の境界面と一致しており、該検出領域に混入するような散乱線を有効に遮蔽できる。一方、その対向面領域であるチャネルＣＨ１８０の両境界面にはセプタ５３が存在しないが、前記一方の検出領域と略同時に検出される一対の検出信号を抽出することにより、チャネルＣＨ１８０側の両境界面にもセプタ５３が存在するのと同様の効果が得られる。このことは他のダイレクトプレーンＰ１，Ｐ５，Ｐ７等についても同様である。
【００２０】
次にクロスプレーンＰ６において、一方の検出領域を検出器リングＲ３のチャネルＣＨ１８０後半部及び検出器リングＲ４のチャネル１８０前半部とすると、その体軸方向の両境界面はセプタ５３の境界面と一致しており、該検出領域に混入するような散乱線を有効に遮蔽できる。一方、その対向面領域である検出器リングＲ３のチャネルＣＨ０後半部及び検出器リングＲ４のチャネル０前半部の両境界面にはセプタ５３が存在しないが、前記一方の検出領域と略同時に検出される一対の検出信号を抽出することにより、チャネルＣＨ０側の両境界面にもセプタ５３が存在するのと同様の効果が得られる。このことは他のクロスプレーンＰ２，Ｐ４，Ｐ８についても同様である。以上からして、ダイレクトプレーン及びクロスプレーンの平面的な立体角は共にαとなり、これにより体軸方向の全プレーンで均一な光子対検出感度が得られる。
【００２１】
本発明（２）では、上記本発明（１）において、同時判定抽出部は、前記一方の検出領域に対向する他方の検出領域で検出された信号のうち、該一方の検出領域で検出された信号と略同時に検出された信号のみを抽出するものである。
【００２２】
本発明（２）によれば、他方の検出領域で検出された信号のうち、一方の検出領域で検出された信号と略同時に検出された信号のみを抽出する簡単な方法により、画像再構成に有用な一対の検出信号を効率よく抽出できる。
【００２３】
本発明（３）では、上記本発明（１）において、検出器モジュールの内側にセプタを挿抜自在に設けたものである。これによって２次元スキャンのみならず３次元スキャンを容易に行える。
【００２４】
上記の課題は例えば図２，図８の構成により解決される。即ち、本発明（４）のＰＥＴ装置は、被検体内に取り込まれた放射性医薬品に含まれるポジトロンが消滅する際に発生する１対のγ線を検出して画像化するＰＥＴ装置において、所定サイズの検出面を有する複数の検出器５２を被検体体軸ＣＬの回りにピッチｗで螺旋状に周設してなる螺旋状の検出器モジュール５５と、前記検出器モジュール５５の内側に介在し、被検体体軸と略垂直な方向に飛来するγ線をコリメートするための所定のコリメート長を有する平板を該体軸の方向にピッチｗで螺旋状に周設してなるセプタ５３と、前記検出器５２の検出信号に基づきその検出面に入射したγ線の入射位置を特定可能な検出回路４２と、被検体を挟み相対向する位置に設定した２つの検出領域で略同時に検出された一対の検出信号を抽出する同時判定抽出部３３あって、前記一方の検出領域における体軸方向の両境界面がセプタの境界面と一致するように設定するもの、とを備えるものである。
【００２５】
本発明（４）では、螺旋状の検出器モジュール５５の内側に螺旋状のセプタ５３を備える構成により、被検体体軸上のどの検出プレーンで見ても、一方の検出領域をその体軸方向の両境界面がセプタの境界面と一致するように設定できる。しかも、該一方の検出領域を常に検出器５２の検出面と一致させることができるため、同時検出処理が簡単化・高信頼性化する効果がある。これを図９に従って具体的に説明する。
【００２６】
例えばダイレクトプレーンＰ３において、一方の検出領域を検出器リングＲ２のチャネルＣＨ０とすると、その体軸方向の両境界面はセプタ５３の境界面と一致しており、該検出領域に混入するような散乱線を有効に遮蔽できる。一方、その対向面領域である検出器リングＲ１のチャネルＣＨ１８０後半部及び検出器リングＲ２のチャネルＣＨ１８０前半部からなる検出領域の両境界面上にはセプタ５３が存在しないが、前記一方の検出領域と略同時に検出される一対の検出信号を抽出することにより、チャネルＣＨ１８０側の両境界面にもセプタ５３が存在するのと同様の効果が得られる。このことは他のダイレクトプレーンＰ１，Ｐ５，Ｐ７等についても同様である。
【００２７】
次にクロスプレーンＰ６において、一方の検出領域を検出器リングＲ３のチャネルＣＨ１８０とすると、その体軸方向の両境界面はセプタ５３の境界面と一致しており、該検出領域に混入するような散乱線を有効に遮蔽できる。一方、その対向面領域である検出器リングＲ３のチャネルＣＨ０後半部及び検出器リングＲ４のチャネル０前半部からなる検出領域の両境界面にはセプタ５３が存在しないが、前記一方の検出領域と略同時に検出される一対の検出信号を抽出することにより、チャネルＣＨ０側の両境界面にもセプタ５３が存在するのと同様の効果が得られる。このことは他のクロスプレーンＰ２，Ｐ４，Ｐ８についても同様である。以上からして、ダイレクトプレーン及びクロスプレーンの平面的な立体角は共にαとなり、これにより体軸方向の全プレーンで均一な光子対検出感度が得られる。
【００２８】
本発明（５）では、上記本発明（４）において、同時判定抽出部は、前記一方の検出領域に対向する他方の検出領域で検出された信号のうち、該一方の検出領域で検出された信号と略同時に検出された信号のみを抽出するものである。
【００２９】
本発明（５）によれば、他方の検出領域で検出された信号のうち、一方の検出領域で検出された信号と略同時に検出された信号のみを抽出する簡単な方法により、画像再構成に有用な一対の検出信号を効率よく抽出できる。
【００３０】
本発明（６）では、上記本発明（４）において、検出器モジュールの内側にセプタを挿抜自在に設けたものである。これによって２次元スキャンのみならず３次元スキャンを容易に行える。
【００３１】
本発明（７）の検出器ユニットは、例えば図３に示す如く、被検体内に取り込まれた放射性医薬品に含まれるポジトロンが消滅する際に発生する１対のγ線を検出して画像化するＰＥＴ装置の検出器ユニットにおいて、所定サイズの検出面を有する複数の検出器５２を被検体体軸ＣＬの回りにリング状に周設した厚さｗの検出器リングを、該体軸方向に複数積層してなるリング状の検出器モジュール５１と、前記検出器モジュール５１の内側に介在し、被検体体軸と略垂直な方向に飛来するγ線をコリメートするための所定のコリメート長を有する平板を該体軸の方向にピッチｗで螺旋状に周設してなるセプタ５３とを備えるものである。
【００３２】
また本発明（８）の検出器ユニットは、例えば図８に示す如く、被検体内に取り込まれた放射性医薬品に含まれるポジトロンが消滅する際に発生する１対のγ線を検出して画像化するＰＥＴ装置の検出器ユニットにおいて、所定サイズの検出面を有する複数の検出器５２を被検体体軸ＣＬの回りにピッチｗで螺旋状に周設してなる螺旋状の検出器モジュール５５と、前記検出器モジュール５５の内側に介在し、被検体体軸と略垂直な方向に飛来するγ線をコリメートするための所定のコリメート長を有する平板を該体軸の方向にピッチｗで螺旋状に周設してなるセプタ５３とを備えるものである。
【発明の効果】
【００３３】
以上述べた如く本発明によれば、ダイレクトプレーンとクロスプレーンとで感度差及び散乱線混入度の差が無くなり、体軸方向の感度均一性が大幅に向上する。
【発明を実施するための最良の形態】
【００３４】
以下、添付図面に従って本発明に好適なる複数の実施の形態を詳細に説明する。なお、全図を通して同一符号は同一又は相当部分を示すものとする。図１は実施の形態によるＰＥＴ装置の外観図であり、この装置は、γ線の検出器ユニットにより被検体断層像の作成に必要な投影データを収集するガントリ４０と、被検体を天板２１に搭載してガントリの空洞部内に移動させる撮影テーブル２０と、ガントリ４０で収集した投影データに基づき被検体のＰＥＴ断層像を再構成するデータ処理部３０と、これら各部の遠隔制御を行うと共に、技師等が操作をするコンソール部１０とを備える。
【００３５】
図２に実施の形態によるＰＥＴ装置の要部構成図を示す。ガントリ４０はγ線の検出器ユニット５０を備えており、中央の空洞部（ボア）に被検体１００が搬入される。被検体内部で発生した各一対のγ線のうち、セプタ５３で遮断されないものは周囲の検出器５２に入射して可視光に変換されると共に、ＰＭＴで電気信号に変換され、一対の出力パルスが形成される。
なお、本明細書では、一例の検出器５２の部分を他の各種構成要素（検出器ユニット５０，検出器モジュール５１，検出器リングＲ１〜Ｒ５等）との間で明瞭に呼び分けるため、以後は説明の便宜上、検出器５２を検出器ブロック５２と称し、その検出面をブロック検出面と称する。但し、本発明の検出器５２はブロック形状のものに限定されない。
そして、上記形成された一対の検出パルスは各検出器ブロック５２の対応に設けられた前処理回路（ＡＣＥＭ）４２に入力し、ここで、γ線の検出位置（検出器ブロック５２のチャネル番号ＣＨ及び該ブロック内の検出位置情報），検出タイミング及び検出エネルギ
ー等からなる所定の信号が生成される。以下に、検出器ユニット５０と前処理回路４２の一例を詳細に説明する。
【００３６】
図３は第１の実施の形態による検出器ユニット５０の外観斜視図であり、リング状の検出器モジュール５１の内側に螺旋状のセプタ５３を備える場合を示している。この検出器ユニット５０は前後２枚のシールドコリメータ５４ａ，５４ｂに挟まれたリング状の検出器モージュール５１を備え、該検出器モージュール５１は複数の検出器リングＲ１〜Ｒ５が被検体体軸ＣＬの方向に積層されたものとなっている。各検出器リングＲ１〜Ｒ５は、被検体体軸ＣＬの回りの円周上に配列された多数の検出器ブロック５２を備えており、各検出器ブロック５２は検出器モジュール５１の内側から飛来した高エネルギー（５１１ｋｅＶ）のγ線を検出する。更に、このリング状検出器モジュール５１の内側には、原子番号の大きい部材（鉛，タングステン等）により形成された螺旋状の遮蔽盤（セプタ）５３が設けられている。
【００３７】
挿入図（ａ）に検出器ユニット５０のａ−ａ断面図を示す。セプタ５３は検出器リング幅と同一のピッチ幅で螺旋状に構成されているため、その一方の側（例えば図の上面側）では、各セプタ盤面が検出器リングＲ１〜Ｒ５の丁度境界面上に配置されるが、その対向位置（図の下面側）では、各セプタ盤面が検出器リングＲ１〜Ｒ５の丁度中間位置に配置されており、このようなセプタ盤面に対して略平行に入射するγ線のみを検出器ブロック５２の側に通過させる所謂コリメート作用を有する。
【００３８】
図４は第１の実施の形態による検出器ブロック５２を説明する図であり、図４（ａ）に検出器ブロック５２の外観斜視図を示す。検出器ブロック５２は、任意複数のシンチレータ５２ａと光電子増倍管（ＰＭＴ）５２ｂとの組み合わせをマトリクス状に配置した構造を備えるが、図４（ａ）は、説明の簡単のため、２×２の合計４つの検出系Ａ〜Ｄが存在する場合を示している。
【００３９】
図４（ｂ）に検出器ブロック５２の一側面図を示す。図の下側から入射したγ線はシンチレータ５２ａで可視光に変換され、該光が放射されて複数のＰＭＴ５２ｂに入射し、各ＰＭＴ５２ｂからは入射光量に応じた検出信号Ｂ，Ｄが出力される。検出信号Ａ，Ｃについても同様である。前処理回路４２は検出信号Ａ〜Ｄに基づき検出器ブロック５２のどのブロック検出面位置にγ線が入射したのかを特定するための信号を生成する。
【００４０】
図５は第１の実施の形態による前処理回路４２を説明する図であり、図５（ａ）に前処理回路４２のブロック図を示す。図において、エッジ検出回路（ＥＧＤ）４３は検出信号Ａ〜Ｄの合成信号に基づき信号発生のエッジを検出し、同タイミングにエッジパルス信号ＥＰを出力する。また、前処理回路４２は本回路が接続する検出器ブロック５２に固有のブロックアドレス情報ＢＡを生成する。更に、エネルギーエンコーダ（ＥＥ）４４は検出信号Ａ〜Ｄの総和（Ａ＋Ｂ＋Ｃ＋Ｄ）を増幅かつＡ／Ｄ変換してエネルギー信号Ｅを生成する。また、Ｘ位置エンコーダ（ＸＥ）４５は検出信号Ａ，Ｃの和（Ａ＋Ｃ）を増幅・Ａ／Ｄ変換して当該検出ブロック中におけるＸ軸方向の検出位置を示すための信号Ｘを生成する。そして、Ｚ位置エンコーダ（ＺＥ）４６は検出信号Ｃ，Ｄの和（Ｃ＋Ｄ）を増幅・Ａ／Ｄ変換して当該検出ブロック中におけるＺ軸（体軸）方向の検出位置を示すための信号Ｚを生成する。これらの各信号ＥＰ，ＢＡ，Ｅ，Ｘ，Ｚはパラレル−シリアル変換器（Ｐ／Ｓ）４７によりシリアル信号に変換され、リアルタイムでデータ処理部３０のアドレス生成回路３２に送られる。
【００４１】
図５（ｂ）にブロック検出面中のγ線入射位置を特定する一例の方法を示す。この処理は、各前処理回路４２の対応に設けられた各アドレス生成回路（ＤＣＥＭ）３２で行われる。図において、ブロック検出面中のＸ軸方向に対応するロウアドレスＲＯＷは例えば（
３）式、
【００４２】
【数３】
2006017532.tif 000005
【００４３】
により求められ、またＺ軸（体軸）方向に対応するカラムアドレスＣＯＬは例えば（４）式、
【００４４】
【数４】
2006017532.tif 000006
【００４５】
により求められる。各アドレスＲＯＷ，ＣＯＬは検出エネルギーＥによって０〜１の範囲内の値に正規化されており、検出器ブロック中のγ線入射位置を所要精度で特定するのに十分な分解能を持っている。
【００４６】
図２に戻り、ガントリ４０の各前処理回路４２で生成された信号は、対応する各アドレス生成回路（ＤＣＥＭ）３２で所定のアドレス信号ＰＯＳやγ線が検出されたタイミングを表すタイムスタンプ信号ＴＳ等に変換される。アドレス信号ＰＯＳには検出器ブロック５２のブロックアドレス信号ＢＡ、該ブロック中におけるγ線の検出位置を表すアドレス信号ＲＯＷ，ＣＯＬが含まれる。同時判定抽出部３３は被検体１００を挟んで相対向する（即ち、２つのγ線の飛跡の結合が直線をなすような）２つの検出チャネルｉ，ｊの各検出信号（ＰＯＳｉ，ＴＳｉ），（ＰＯＳｊ，ＴＳｊ）を比較し、所定のゲート時間幅内に含まれるような同時条件を満足するアドレス信号対ＰＡＩＲを抽出して、メモリ３４に蓄積する。
【００４７】
挿入図（ａ）にメモリ３４に蓄積された２次元投影データ（サイノグラム）の例を示す。横軸は検出機器ブロックのチャネル番号ＣＨ（ブロック内アドレスＲＯＷ，ＣＯＬを含む）、縦軸は被検体の投影角度θ、奥行きはダイレクト及びクロスの検出プレーン番号Ｐである。ＣＰＵ３５はメモリ３４に蓄積された投影データに基づいて被検体のＰＥＴ断層像を例えばバックプロジェクション法等により再構成し、コンソール１０に表示する。次に第１の実施の形態による検出プレーン−感度特性を具体的に説明する。
【００４８】
図６，図７は第１の実施の形態によるＰＥＴ装置の検出プレーン−感度特性を説明する図（１），（２）であり、図６は検出器モジュール５１をＣＨ０とＣＨ１８０を含む断面で見た場合の検出動作を示している。図６（ａ）に検出器ユニットの正面図、図６（ｂ）に検出器ユニットのａ−ａ断面図を示す。本第１の実施の形態ではリング状検出器モジュール５１の内側に螺旋状のセプタ５３を挿入したため、例えば検出器モジュール５１の上側（ＣＨ０側）では各検出器リングＲ１〜Ｒ５の丁度境界面上に直径方向の長さｄのセプタ盤が間隔ｗで配列され、一方、該モジュール５１の下側（ＣＨ１８０側）では各検出器リングＲ１〜Ｒ５の丁度中心面上に同じく長さｄのセプタ盤が間隔ｗで配列される関係となる。係る構成により、従来と同様に、同一リング内の同時計数イベントを収集するダイレクトプレーンＰ１，Ｐ３，…，Ｐ９と、隣り合うリング間の同時計数イベントを収集するクロスプレーンＰ２，Ｐ４，…，Ｐ８における各計数を考える。
【００４９】
例えばダイレクトプレーンＰ３のデータ収集では、他方の検出領域（検出器リングＲ２のＣＨ１８０）で検出されるγ線のうち、これに対向する一方の検出領域（リングＲ２のＣＨ０）で検出されるγ線との間で同時検出条件を満足する一対のγ線のみを抽出する。こうすれば、体軸上の点Ｐ３で平面の立体角α以内の方向に射出された各一対のγ線（Ｌ１ａ，Ｌ１ｂ），（Ｌ２ａ，Ｌ２ｂ）等は、セプタ５３に遮断されることなく、リングＲ２のＣＨ０とＣＨ１８０とで同時検出されるが、それよりも大きな角度で射出された一対のγ線Ｌ３はリングＲ２では同時検出されない。また、立体角αであっても点Ｐ３よりずれた位置から射出された一対のγ線Ｌ４ａ，Ｌ４ｂもリングＲ２によっては同時検出されない。
【００５０】
この場合に、リングＲ２のＣＨ０に入射するγ線については、該ＣＨ０検出面の両端部に位置する各セプタ５３によって十分にコリメートされるため、散乱線の混入をその検出時点で有効に防止できる。一方、リングＲ２のＣＨ１８０に入射するγ線については、セプタ５３が検出面の中間点に位置するため、その検出時点では散乱線の混入を除去できないが、上記リングＲ２のＣＨ０に入射するγ線との間で同時検出条件を満足するもののみを抽出することにより、同様にして散乱線の混入を有効に防止できる。以上からして、ダイレクトプレーンＰ３における検出の立体角はαであり、該立体角に応じた検出感度が得られる。このことは他のダイレクトプレーンＰ１，Ｐ５，Ｐ７等についても同様である。
【００５１】
次に例えばクロスプレーンＰ６のデータ収集では、他方の検出領域（検出器リングＲ３のＣＨ０後半部ｗ／２及びリングＲ４のＣＨ０前半部ｗ／２）で検出されるγ線のうち、これに対向する一方の検出領域（リングＲ３のＣＨ１８０後半部ｗ／２及びリングＲ４のＣＨ１８０前半部ｗ／２）で検出されるγ線との間で略同時に検出されるもののみを抽出する。こうすれば、体軸上の点Ｐ６より平面の立体角α以内の方向に射出された各一対のγ線Ｌ５，Ｌ６等は、セプタ５３に遮断されることなく、リングＲ３のＣＨ０後半部及びリングＲ４のＣＨ０前半部と、リングＲ３のＣＨ１８０後半部及びリングＲ４のＣＨ１８０前半部とからなる各検出面で略同時に検出されるが、それよりも大きな角度で射出された一対のγ線や、体軸上の点Ｐ６よりずれた位置から射出された一対のγ線については該検出面によっては同時検出されない。
【００５２】
この場合に、上記リングＲ３，Ｒ４のＣＨ１８０側に入射するγ線については、該ＣＨ１８０側の検出領域の両端部に位置する各セプタ５３によって十分にコリメートされるため、散乱線の混入をその検出時点で有効に防止できる。一方、上記リングＲ３，Ｒ４のＣＨ０側に入射するγ線については、セプタ５３が該ＣＨ０側の検出領域の中間点に位置するため、その検出時点では散乱線の混入を除去できないが、上記ＣＨ１８０側に入射するγ線との間で略同時に検出されるもののみを抽出することにより、同様にして散乱線の混入を有効に防止できる。以上からして、クロスプレーンＰ６における検出の立体角もαであり、このことは他のクロスプレーンＰ２，Ｐ４等についても同様である。
【００５３】
図７は検出器モジュール５１をＣＨ９０とＣＨ２７０を含む断面で見た場合の検出動作を示している。図７（ａ）に検出器ユニットの正面図、図７（ｂ）に検出器ユニットのｂ−ｂ断面図を示す。検出器モジュール５１はリング状であるため、ＣＨ９０とＣＨ２７０を含む切断面は、上記ＣＨ０とＣＨ１８０を含む切断面と同様である。一方、セプタ５３は螺旋状であるため、セプタ盤はどのＣＨで見ても１回転する度に検出リング幅ｗだけ体軸方向にシフトする関係にある。従って、ＣＨ９０とＣＨ２７０を含む切断面で見ると、図示の如くＣＨ９０では境界面よりｗ／４だけずれており、ＣＨ２７０では境界面より３ｗ／４だけずれている。これに伴ってダイレクト及びクロスの各検出プレーンＰ１’〜Ｐ９’も上記図６の場合の基準位置よりｗ／４だけずらして考える。
【００５４】
例えばダイレクトプレーンＰ３’のデータ収集では、他方の検出領域（検出器リングＲ
２のＣＨ２７０後半部３Ｗ／４及びリングＲ３のＣＨ２７０前半部ｗ／４）で検出されるγ線のうち、これに対向する一方の検出領域（リングＲ２のＣＨ９０後半部３Ｗ／４及びリングＲ３のＣＨ９０前半部ｗ／４）で検出されるγ線との間で同時条件を満足するもののみを抽出すれば良い。
【００５５】
この場合に、上記リングＲ２，Ｒ３のＣＨ９０側に入射するγ線については、該ＣＨ９０側の検出領域の両端部に位置する各セプタ５３によって十分にコリメートされるため、散乱線の混入をその検出時点で有効に防止できる。一方、上記リングＲ２，Ｒ３のＣＨ２７０側に入射するγ線については、セプタ５３が該ＣＨ２７０側の検出領域の中間点に位置するため、その検出時点では散乱線の混入を除去できないが、上記リングＲ２，Ｒ３のＣＨ９０側に入射するγ線との間で略同時に検出されるもののみを抽出することにより、同様にして散乱線の混入を有効に防止できる。以上からして、ダイレクトプレーンＰ３’における検出の立体角もαであり、このことは他のダイレクトプレーンＰ１’，Ｐ５’，Ｐ９’等についても同様である。
【００５６】
次に、例えばクロスプレーンＰ６’のデータ収集では、他方の検出領域（検出器リングＲ３のＣＨ９０後半部ｗ／４及びリングＲ４のＣＨ９０前半部３ｗ／４）で検出されるγ線のうち、これに対向する一方の検出領域（リングＲ３のＣＨ２７０後半部ｗ／４及びリングＲ４のＣＨ２７０前半部３ｗ／４）で検出されるγ線との間で同時検出の条件を満足するもののみを抽出すれば良い。
【００５７】
この場合に、上記リングＲ３，Ｒ４のＣＨ２７０側に入射するγ線については、該ＣＨ２７０側の検出領域の両端部に位置する各セプタ５３によって十分にコリメートされるため、散乱線の混入をその検出時点で有効に防止できる。一方、上記リングＲ３，Ｒ４のＣＨ９０側に入射するγ線については、セプタ５３が該ＣＨ９０側の検出面の中間点に位置するため、その検出時点では散乱線の混入を除去できないが、上記ＣＨ２７０側に入射するγ線との間で略同時に検出されるもののみを抽出することにより、同様にして散乱線の混入を有効に防止できる。以上からして、クロスプレーンＰ６’における検出の立体角もαであり、このことは他のクロスプレーンＰ２’，Ｐ４’等についても同様である。
【００５８】
なお、上記γ線が体軸上を通過する場合の検出を中心に述べたが、γ線が体軸上を通過しない場合の検出についても同様である。例えば図６（ａ），図７（ａ）に示すγ線Ｌ１０，Ｌ１１の検出についても、各検出器リングＲ１〜Ｒ５と螺旋状セプタ盤５３との間の位置関係はどの検出プレーンについても既知であるから、各検出プレーン毎にその一方の検出領域と、被検体を挟んでこれに対向するような他方の検出領域とを適正に設定することが常に可能であり、よって上記と同様に散乱線を排除した品質の良いデータの収集を効率良く行える。
【００５９】
かくして、本第１の実施の形態によれば、各投影角におけるダイレクト及びクロスの各検出プレーンで均一（所要品質及び感度）の投影データを収集でき、これらをバックプロジェクション法等により再構成することで、高品質の２次元ＰＥＴ断層像が得られる。
【００６０】
図８は第２の実施の形態による検出器ユニット５０の外観斜視図であり、ここではセプタ５３のみならず、検出器モジュール５５も螺旋状に構成した場合を示している。本第２の実施の形態では検出器ブロック５２とセプタ盤５３との位置関係が常に一定となるため、γ線の同時検出処理が上記第１の実施の形態のものに比べて大幅に簡略化される。
【００６１】
この検出器モージュール５５では、被検体体軸ＣＬの回りの円周上に配列された多数の検出器ブロック５２が、被検体体軸の方向にピッチｗで螺旋状に展開している。更に、この螺旋状検出器モジュール５５の内側には、同じくピッチＷで展開する螺旋状のセプタ５
３が設けられている。その他の構成については上記図３で述べたものと同様で良い。
【００６２】
挿入図（ａ）に検出器ユニット５０のａ−ａ断面図を示す。セプタ５３のみならず、検出器モジュール５５の各検出器ブロッック５２も螺旋状に展開しているため、セプタ盤面はどの検出器ブロック５２との関係でも丁度検出器ブロック５２の境界面上に位置している。
【００６３】
図９，図１０は第２の実施の形態によるＰＥＴ装置の検出プレーン−感度特性を説明する図（１），（２）であり、図９は検出器モジュール５５をＣＨ０とＣＨ１８０を含む断面で見た場合の検出動作を示している。図９（ａ）に検出器ユニットの正面図、図９（ｂ）に検出器ユニットのａ−ａ断面図を示す。本第２の実施の形態では螺旋状の検出器モジュール５５の内側に同じく螺旋状のセプタ５３を挿入したため、検出器ブロック５２とセプタ盤５３との位置関係は全ての検出器ブロック５２について同一である。即ち、セプタ盤５３は常に検出器ブロック５２の境界面上に位置する。係る構成により、従来と同様のダイレクト及びクロスの各検出プレーンＰ１〜Ｐ９における投影データの収集を考える。なお、本明細書では説明の簡単のために各螺旋１回転分に属する検出器ブロックの集まりをリングＲ１〜Ｒ５と呼ぶ。
【００６４】
例えばダイレクトプレーンＰ３のデータ収集では、他方の検出領域（リングＲ１のＣＨ１８０後半部ｗ／２及びリングＲ２のＣＨ１８０前半部ｗ／２）で検出されるγ線のうち、これに対向する一方の検出領域（リングＲ２のＣＨ０）で検出されるγ線との間で同時検出の条件を満足するもののみを抽出すれば良い。この場合に、リングＲ２のＣＨ０に入射するγ線については、該ＣＨ０の検出面の両端部に位置する各セプタ５３によって十分にコリメートされるため、散乱線の混入をその検出時点で有効に防止できる。一方、上記リングＲ１，Ｒ２の各ＣＨ１８０の側に入射するγ線については、セプタ５３が上記ＣＨ１８０側の検出領域の中間点に位置するため、その検出時点では散乱線の混入を除去できないが、上記リングＲ２のＣＨ０に入射するγ線との間で略同時に検出されるもののみを抽出することにより、同様にして散乱線の混入を有効に防止できる。以上からして、ダイレクトプレーンＰ３における平面の検出立体角はαであり、所要品質及び感度の投影データを収集できる。このことは他のダイレクトプレーンＰ１，Ｐ５，Ｐ９等についても同様である。
【００６５】
次に、例えばクロスプレーンＰ６のデータ収集では、他方の検出領域（検出器リングＲ３のＣＨ０後半部ｗ／２及びリングＲ４のＣＨ０前半部ｗ／２）で検出されるγ線のうち、これに対向する一方の検出領域（リングＲ３のＣＨ１８０）で検出されるγ線との間で略同時に検出されるもののみを抽出すれば良い。この場合に、上記リングＲ３のＣＨ１８０に入射するγ線については、該ＣＨ１８０の検出面の両端部に位置する各セプタ５３によって十分にコリメートされるため、散乱線の混入をその検出時点で有効に防止できる。一方、上記リングＲ３，Ｒ４の各ＣＨ０側に入射するγ線については、セプタ５３が該ＣＨ０側の検出領域の中間点に位置するため、その検出時点では散乱線の混入を除去できないが、上記ＣＨ１８０に入射するγ線との間で略同時に検出されるもののみを抽出することにより、同様にして散乱線の混入を有効に防止できる。以上からして、クロスプレーンＰ６における検出立体角もαであり、上記ダイレクトプレーンの場合と同様に所要品質及び感度の投影データを収集できる。このことは他のクロスプレーンＰ２，Ｐ４等についても同様である。
【００６６】
図１０は検出器モジュール５５をＣＨ９０とＣＨ２７０を含む断面で見た場合の検出動作を示している。図１０（ａ）に検出器ユニットの正面図、図１０（ｂ）に検出器ユニットのｂ−ｂ断面図を示す。検出器モジュール５５及びセプタ５３は共に螺旋状であるため、どのＣＨで見ても１回転する度に検出リング幅ｗだけ体軸方向にシフトずると共に、こ
れをＣＨ９０とＣＨ２７０を含む切断面で見ると、図示の如くＣＨ９０はＣＨ０よりｗ／４だけずれており、ＣＨ２７０はＣＨ０より３ｗ／４だけずれている。これに伴ってダイレクト及びクロスの各検出プレーンＰ１’〜Ｐ９’も上記図６に示す基準位置よりｗ／４だけずらして考える。
【００６７】
例えばダイレクトプレーンＰ３’のデータ収集では、他方の検出領域（検出器リングＲ１のＣＨ２７０後半部Ｗ／２及びリングＲ２のＣＨ２７０前半部ｗ／２）で検出されるγ線のうち、これに対向する一方の検出領域（リングＲ２のＣＨ９０）で検出されるγ線との間で同一条件を満足するもののみを抽出すれば良い。この場合に、上記リングＲ２のＣＨ９０に入射するγ線については、該ＣＨ９０の検出面の両端部に位置する各セプタ５３によって十分にコリメートされるため、散乱線の混入をその検出時点で有効に防止できる。一方、上記リングＲ１，Ｒ２の各ＣＨ２７０側に入射するγ線については、セプタ５３が該ＣＨ２７０側の検出領域の中間点に位置するため、その検出時点では散乱線の混入を除去できないが、上記リングＲ２のＣＨ９０に入射するγ線との間で略同時に検出されるもののみを抽出することにより、同様にして散乱線の混入を有効に防止できる。以上からして、ダイレクトプレーンＰ３’における検出立体角もαであり、所要品質及び感度の投影データを収集できる。このことは他のダイレクトプレーンＰ１’，Ｐ５’，Ｐ９’等についても同様である。
【００６８】
次に、例えばクロスプレーンＰ６’のデータ収集では、他方の検出領域（検出器リングＲ３のＣＨ９０後半部ｗ／２及びリングＲ４のＣＨ９０前半部ｗ／２）で検出されるγ線のうち、これに対向する一方の検出領域（リングＲ３のＣＨ２７０）で検出されるγ線との間で同時検出の条件を満足するもののみを抽出すれば良い。この場合に、上記リングＲ３のＣＨ２７０に入射するγ線については、該ＣＨ２７０の検出面の両端部に位置する各セプタ５３によって十分にコリメートされるため、散乱線の混入をその検出時点で有効に防止できる。一方、上記リングＲ３，Ｒ４の各ＣＨ９０側に入射するγ線については、セプタ５３が該ＣＨ９０側の検出領域の中間点に位置するため、その検出時点では散乱線の混入を除去できないが、上記ＣＨ２７０側に入射するγ線との間で略同時に検出されるもののみを抽出することにより、同様にして散乱線の混入を有効に防止できる。以上からして、クロスプレーンＰ６’における検出立体角もαであり、上記ダイレクトプレーンの場合と同様の所要品質及び感度の投影データを収集できる。このことは他のクロスプレーンＰ２’，Ｐ４’等についても同様である。
【００６９】
なお、上記γ線が体軸上を通過する場合の検出を中心に述べたが、γ線が体軸上を通過しない場合の検出についても同様である。例えば図９（ａ），図１０（ａ）に示すγ線Ｌ１０，Ｌ１１の検出についても、検出器モジュール５５と螺旋状セプタ盤５３との間の位置関係はどの検出プレーンについても既知であるから、各検出プレーン毎にその一方の検出領域と、被検体を挟んでこれに対向するような他方の検出領域とを適正に設定することが常に可能であり、よって上記と同様に散乱線を排除した品質の良いデータの収集を効率良く行える。
【００７０】
かくして、本第２の実施の形態によれば、各投影角に対応するダイレクト及びクロスの各プレーンで均一（所要の品質及び感度）の投影データを収集でき、これらをバックプロジェクション法等により再構成することで、高品質の２次元ＰＥＴ断層像が得られる。
【００７１】
なお、上記両検出プレーン間での感度差および散乱線混入度の差が無くなる事により、もし従来のクロスプレーンにおける散乱線混入度が許容できるものであるならば、セプタ間隔をｗとしたまま、検出器モジュール５１／５５のリング径Ｄを例えば１／２、セプタ長をｄ／２とすることも可能となるので、検出器リング径縮小による感度向上が期待できる。さらに装置自体の小型化も可能となる。
【００７２】
また、上記各実施の形態では検出器モジュール５１／５５の内側にセプタ５３が固定されている場合を述べたがこれに限らない。検出器モジュール５１／５５の内側にセプタ５３を挿抜自在に設けることにより、２次元スキャンのみならず、３次元スキャンも行える。
【００７３】
また、上記本発明に好適なる複数の実施の形態を述べたが、本発明思想を逸脱しない範囲内で各部の構成、制御、処理及びこれらの組み合わせの様々な変更が行えることは言うまでも無い。
【図面の簡単な説明】
【００７４】
【図１】実施の形態によるＰＥＴ装置の外観図である。
【図２】実施の形態によるによるＰＥＴ装置の要部構成図である。
【図３】第１の実施の形態による検出器ユニットの外観斜視図である。
【図４】第１の実施の形態による検出器ブロックを説明する図である。
【図５】第１の実施の形態による前処理回路を説明する図である。
【図６】第１の実施の形態によるＰＥＴ装置の検出プレーン−感度特性を説明する図（１）である。
【図７】第１の実施の形態によるＰＥＴ装置の検出プレーン−感度特性を説明する図（２）である。
【図８】第２の実施の形態による検出器ユニットの外観斜視図である。
【図９】第２の実施の形態によるＰＥＴ装置の検出プレーン−感度特性を説明する図（１）である。
【図１０】第２の実施の形態によるＰＥＴ装置の検出プレーン−感度特性を説明する図（２）である。
【図１１】従来技術を説明する図（１）である。
【図１２】従来技術を説明する図（２）である。
【符号の説明】
【００７５】
１０  コンソール部
２０  撮影テーブル
２１  天板
３０  データ処理部
３１  アドレス生成部
３２  アドレス生成回路（ＤＣＥＭ）
３３  同時判定抽出部
４０  ガントリ
４１  前処理部
４２  前処理回路（ＡＣＥＭ）
５０  検出器ユニット
５１  検出器モジュール
５２  検出器（検出器ブロック）
５３  セプタ（コリメータ）
５４ａ，５４ｂ  シールドコリメータ
Ｒ１〜Ｒ５  検出器リング
１００  被検体
【図１】
2006017532.tif 000007
【図２】
2006017532.tif 000008
【図３】
2006017532.tif 000009
【図４】
2006017532.tif 000010
【図５】
2006017532.tif 000011
【図６】
2006017532.tif 000012
【図７】
2006017532.tif 000013
【図８】
2006017532.tif 000014
【図９】
2006017532.tif 000015
【図１０】
2006017532.tif 000016
【図１１】
2006017532.tif 000017
【図１２】
2006017532.tif 000018